(57)【要約】【課題】少ない洗浄水量で汚物の搬送距離を長く伸ばすことを容易にする。【解決手段】便器鉢１の排水口部１ａに接続された可動トラップ２の開放端２ｂを、下水管３に通じる排出室４内でモータ駆動により上下に回転させることで、便器鉢１内の汚物排出と便器鉢１内の封水とを行なう水洗便器Ａである。排出室４内に水受け手段５を設ける。この水受け手段５は、可動トラップ２の開放端２ｂが上向きの封水位置Ｐ１から下向きの排出位置Ｐ３に回転する途中でこの可動トラップ２より排出される一定量の排水を受けて一時貯水する貯水状態となり、更にこの可動トラップ２の開放端２ｂが前記排出位置Ｐ３まで回転した後に前記一時貯水した水を排出する排水状態となる。【選択図】図１
2012172341.tif 000002
【特許請求の範囲】
【請求項１】
便器鉢の排水口部に接続された可動トラップの開放端を、下水管に通じる排出室内でモータ駆動により上下に回転させることで、便器鉢内の汚物排出と便器鉢内の封水とを行なうターントラップ方式の水洗便器であって、前記排出室内に、一定量の水を貯水・排水可能な水受け手段を設け、この水受け手段は、前記可動トラップの開放端が上向きの封水位置から下向きの排出位置に回転する途中でこの可動トラップより排出される一定量の水を受けて一時貯水する貯水状態となり、更にこの可動トラップの開放端が前記排出位置まで回転した後に前記一時貯水した水を排出する排水状態となることを特徴とする水洗便器。
【請求項２】
前記水受け手段は、前記排出室内の壁面に回転自在に取り付けられる水受け容器と、この水受け容器を前記可動トラップの上向きから下向きへの回転に連動して前記貯水状態となる回転位置から前記排水状態となる回転位置へ回転させる連動回転機構とを有することを特徴とする請求項１記載の水洗便器。
【請求項３】
前記水受け手段は、前記排出室内の壁面に回転自在に取り付けられる水受け容器と、この水受け容器を前記可動トラップの開放端が下向きの排出位置に回転するまでは前記貯水状態となる回転位置に保持し且つ前記可動トラップの開放端が前記排出位置まで回転した後に前記水受け容器が前記一時貯水した水の重量により前記排水状態となる回転位置へ回転するのを許容する開閉用バネとを有することを特徴とする請求項１記載の水洗便器。
【発明の詳細な説明】
【技術分野】
【０００１】
本発明は、ターントラップ方式の水洗便器に関するものである。
【背景技術】
【０００２】
従来から、便器鉢の排水口部に接続された可動トラップの開放端を、下水管に通じる排出室内でモータ駆動により上下に回転させることで、便器鉢内の汚物排出と便器鉢内の封水とを行なう水洗便器が知られている（例えば特許文献１参照）。
【先行技術文献】
【特許文献】
【０００３】
【特許文献１】特開平１１−２１００５４号公報
【発明の概要】
【発明が解決しようとする課題】
【０００４】
前記特許文献１の従来例において、水洗便器は、洗浄水を使って汚物を下水管に排出し、下水管の遠くまで汚物を搬送させることが要求される。
【０００５】
汚物の搬送距離は、下水管の設置勾配や管径、また汚物の量や便器の洗浄水量等によって変わってくる。この場合、搬送距離が短いと下水管の内部で汚物が滞留して汚物詰まりの原因ともなるため、各メーカーは便器機器の洗浄方式や洗浄水量を決めている。
【０００６】
しかし、水跳ね防止部９を備えた便器鉢１においては、図５に示すように、汚物Ｂは水跳ね防止部９に一度落下した後、便器鉢１の底部に転がり落ちる。このとき、便器鉢１に溜まった水Ｗは、汚物Ｂを境にして汚物Ｂより上流側にある水Ｗ１と汚物Ｂより下流側にある水Ｗ２（可動トラップ２側の水）とに分かれる。便器洗浄を行うと、汚物Ｂはこの水量バランスをほぼ一定に保ちながら下水管３の中を流れていく。このとき汚物Ｂはそれより上流側にある水Ｗ１に押されて搬送される。つまり、汚物Ｂよりも下流側にある水Ｗ２は汚物Ｂの搬送には寄与しない。しかも汚物Ｂは便器鉢１の底部に位置しているため、可動トラップ２の開放端２ｂまでの搬送距離が長い分だけ、下水管３中での汚物Ｂの搬送距離が短くなる。そこで従来では、便器鉢１に供給する洗浄水量を増やす必要があり、節水化が図れないという問題がある。
【０００７】
本発明は上記の事情に鑑みてなされたものであって、その目的とするところは、少ない洗浄水量で汚物の搬送距離を長く伸ばすことが容易な水洗便器を提供することにある。
【課題を解決するための手段】
【０００８】
前記の課題を解決するために、本発明は、便器鉢の排水口部に接続された可動トラップの開放端を、下水管に通じる排出室内でモータ駆動により上下に回転させることで、便器鉢内の汚物排出と便器鉢内の封水とを行なうターントラップ方式の水洗便器であって、前記排出室内に、一定量の水を貯水・排水可能な水受け手段を設け、この水受け手段は、前記可動トラップの開放端が上向きの封水位置から下向きの排出位置に回転する途中でこの可動トラップより排出される一定量の水を受けて一時貯水する貯水状態となり、更にこの可動トラップの開放端が前記排出位置まで回転した後に前記一時貯水した水を排出する排水状態となることを特徴としている。
【０００９】
前記水受け手段は、前記排出室内の壁面に回転自在に取り付けられる水受け容器と
、この水受け容器を前記可動トラップの上向きから下向きへの回転に連動して前記貯水状態となる回転位置から前記排水状態となる回転位置へ回転させる連動回転機構とを有するのが好ましい。
【００１０】
前記水受け手段は、前記排出室内の壁面に回転自在に取り付けられる水受け容器と、この水受け容器を前記可動トラップの開放端が下向きの排出位置に回転するまでは前記貯水状態となる回転位置に保持し且つ前記可動トラップの開放端が前記排出位置まで回転した後に前記水受け容器が前記一時貯水した水の重量により前記排水状態となる回転位置へ回転するのを許容する開閉用バネとを有するのが好ましい。
【発明の効果】
【００１１】
本発明の水洗便器は、少ない洗浄水量で汚物の搬送距離を長く伸ばすことが容易となる。
【図面の簡単な説明】
【００１２】
【図１】本発明の一実施形態の水受け手段を備える水洗便器の側面断面図である。
【図２】同上の水受け手段を構成する水受け容器の側面図である。
【図３】同上の汚物より上流側にある水と汚物より下流側にある水の水量のバランスを説明する概略図である。
【図４】同上の水受け容器の変形例の説明図である。
【図５】従来例の説明図である。
【発明を実施するための形態】
【００１３】
以下、本発明の実施の形態について、図面を参照しながら説明する。
【００１４】
本実施形態の水洗便器Ａは、図１に示すように、可動トラップ２の一端２ａを便器鉢１の排水口部１ａに接続し、可動トラップ２の他端を開放端２ｂとしている。この開放端２ｂを下水管３に通じる排出室４内でモータ駆動により上下に回転することで、便器鉢１内の汚物排出と便器鉢１内の封水とを行なうターントラップ方式水洗便器である。図中の９は水跳ね防止部である。
【００１５】
可動トラップ２は、断面が円筒状をした屈曲自在の蛇腹構造をしている。可動トラップ２の回転軸２ｃは、制御部（図示略）に電気的に接続されて動作制御されるモータ（図示略）に連結される。モータ駆動による回転軸２ｃの回転にともなって可動トラップ２の開放端２ｂが回転軸２ｃを中心として上下に回転又は屈曲可能とされている。
【００１６】
便器鉢１の背後には、下水管３に通じる排出室４が設けられている。排出室４の内部には、一定量の水を貯水・排水可能な水受け手段５が設けられる。
【００１７】
この水受け手段５は、排出室４内の壁面４ａに回転自在に取り付けられる水受け容器６と、この水受け容器６を可動トラップ２の回転軸２ｃと連動してモータ駆動させる連動回転機構７とからなる。
【００１８】
水受け容器６は、図２に示すように、可動トラップ２の開放端２ｂと対向する排出室４の壁面４ａに沿って配置される。水受け容器６は、排出室４の壁面４ａに向かって開放されたカゴ状の板状物６ａで構成されている。板状物６ａの下端部はヒンジ駆動部７ａを介して排出室４の壁面４ａに回転自在に取り付けられている。
【００１９】
水受け容器６のヒンジ駆動部７ａは、可動トラップ２の回転軸２ｃと連動し、遅れて回転する連動回転機構７を構成しており、可動トラップ２の屈曲に連動し、可動トラップ２の屈曲より遅れて水受け容器６が回転駆動される。水受け容器６を構成する板状物６ａは、その先端の移動軌跡が可動トラップ２の開放端２ｂの移動軌跡と干渉することがないように配置される。本例では、可動トラップ２が屈曲を開始する時点から少し遅延して、汚物Ｂが可動トラップ４を通過した後に水受け容器６の回転が開始するように、水受け容器６のヒンジ駆動部７ａが遅延して可動トラップ２の回転軸２ｃと連動回転する仕組みとなっている。そして、便器洗浄初期に可動トラップ２から流出する一定量の水を水受け容器６で受けて一時貯水されるものであり、さらに水受け容器６が図２の仮想線で示す下向きに回転することで一時貯水した溜まり水Ｗ３が流出するようになっている。
【００２０】
上記構成によれば、水跳ね防止部９を備えた便器鉢１において、図１の矢印ｃで示すように、汚物Ｂは水跳ね防止部９に一度落下した後、矢印ｄで示すように便器鉢１の底部に落下する。便器洗浄前の段階では、便器鉢１の溜まり水Ｗは、図３に示すように、汚物Ｂを境にして汚物Ｂより上流側にある水Ｗ１と、汚物Ｂより下流側にある水Ｗ２とに分けられる。
【００２１】
便器洗浄開始時に、可動トラップ２の開放端２ｂが上向き位置から微回転して斜め向きの微回転位置Ｐ２になると、可動トラップ２の開放端２ｂから汚物Ｂより下流側にある水Ｗ２の一部が排出される。この水Ｗ２は下水管３側に排出されずに、水受け容器６内に溜まり水Ｗ３として溜められる（図２参照）。このとき可動トラップ２内の汚物Ｂよりも下流側の水量が減少すると共に、便器鉢１内への通水によって汚物Ｂより上流側にある水量が増えることで、汚物Ｂが図１の矢印ｅで示すように下流側へ押されて、可動トラップ２の底部側へ移動しやすくなる。つまり、汚物Ｂは図３の実線で示す位置から破線で示す位置に移動しやすくなる。
【００２２】
更に、可動トラップ２が下向きの排出位置Ｐ３まで回転すると、便器鉢１内の汚物Ｂは下水管３の中へすべて排出される。汚物Ｂの排出直後に、水受け容器６がモータ駆動によりヒンジ駆動部７ａを軸にして、図２の矢印ｆで示す方向に回転して下向きとなる。これにより、水受け容器６内で溜められていた水Ｗ３が下水管３の中に排出されて、汚物Ｂの搬送に寄与するようになる。つまり、汚物Ｂより上流側の水量と汚物Ｂより下流側の水量のバランスを考えたとき、溜まり水Ｗ３の排出によって汚物Ｂよりも上流側の水量が多くなり、汚物Ｂの搬送距離を伸ばすことができる。この結果、便器鉢１内への洗浄水の供給量を増やすことなく、汚物Ｂの搬送距離を長く伸ばすことが容易となり、汚物Ｂが下水管３内で詰まりにくくなる。
【００２３】
また本例では、水受け容器６の回転を可動トラップ２の回転軸２ｃのモータ駆動と連動させているため、水受け容器６を駆動するための専用のモータを別途設ける必要がなく、構造を簡素化できる利点もある。
【００２４】
前記実施形態では、水受け容器６を構成する板状物６ａと排出室４の壁面４ａとの間に貯水空間８を形成したが、図４に示すように、水受け容器６を排出室４の壁面４ａとは別体の単体のカゴ５で構成してもよい。また、連動回転機構７を設けず、可動トラップ２とは別のモータで水受け容器６を駆動させるようにしても良い。
【００２５】
他の実施形態として、水受け容器６のヒンジ駆動部７ａに開閉用バネとしてねじりバネ（図示略）を取り付け、水受け容器６の貯水量が一定以上になると水受け容器６が一時貯水した溜まり水Ｗ３の重さで回転して溜まり水Ｗ３が流れ出す仕組みとしてもよい。このねじりバネのバネ力は以下のように設定される。可動トラップ２が下向きの排出位置Ｐ３に回転するまでは、水受け容器６を貯水状態となる回転位置（図２の実線で示す上向き位置）に保持する。可動トラップ２が排出位置Ｐ３まで回転した後に、水受け容器６が溜まり水Ｗ３の重量により排水状態となる回転位置（図２の仮想線で示す下向き位置）に回転するのを許容する。これにより、汚物Ｂが可動トラップ２を通過する段階では、水受け容器６内に一定量の溜まり水Ｗ３が貯水されるようになる。汚物Ｂが可動トラップ２を通過した後に、水受け容器６がバネ力に抗して開いて溜まり水Ｗ３が下水管３に向かって放出される。溜まり水Ｗ３の放出後は水受け容器６はバネ力で自動的に元の上向き位置に復帰する。従って、水受け容器６のヒンジ駆動部７ａをモータ駆動と連動させたりする必要がなく、構造を一層簡素化できるようになる。
【００２６】
前記実施形態では、可動トラップ２が斜め向きの微回転位置Ｐ２になったときに水受け容器６に貯水されるようにしたが、可動トラップ２が横向きになったときに水受け容器６に貯水される構成であってもよい。
【符号の説明】
【００２７】
１  便器鉢
１ａ  排水口部
２  可動トラップ
２ａ  一端
２ｂ  開放端
２ｃ  回転軸
３  下水管
４  排出室
４ａ  壁面
５  水受け手段
６  水受け容器
７  連動回転機構
７ａ  ヒンジ駆動部
８  貯水空間
Ａ  水洗便器
Ｂ  汚物
Ｐ１  封水位置
Ｐ２  微回転位置
Ｐ３  排出位置
Ｗ  溜まり水
【図１】
2012172341.tif 000003
【図２】
2012172341.tif 000004
【図３】
2012172341.tif 000005
【図４】
2012172341.tif 000006
【図５】
2012172341.tif 000007